(57)【要約】【課題】【解決手段】本体２０用の実質的に長方形のブロックを有する保管庫１０用のセキュリティドア取り付け機構は、全部が空洞２１を画定する、ベース２２と、後壁（方向２３）と、１対の側壁２４と、上端２５とを有し、並びにドアの三方枠２７により画定される開口部（方向２６）を有する。ヒンジ付きドア４０は、クランクアセンブリ６２を有するロックアセンブリ６０を有する。クランクアセンブリ６２は、ドア４０のメインパネルに実質的に平行な平面であるディスクプレートを備えるセントラルクランク６３を有する。クランク６３は、ドア４０の前面に設置されたハンドルによって動作可能である。ハンドル及びセントラルクランクは、共通の軸線Ａを中心として同軸で一緒に回転可能である。【選択図】図２ｃ
2021514433.tif 000002
【特許請求の範囲】
【請求項１】
コンテナのドアのセキュリティ保護用のセキュリティドア取付け装置であって、
前記コンテナは、
前記コンテナの本体の閉鎖スペースを画定する三方枠と、
前記三方枠の第１の端部の上又は近くで前記本体にヒンジ式に取り付けられた第１の閉鎖端部と、前記三方枠の第２の端部に当接する第２の閉鎖端部とを有するドアと、
前記ドアの閉鎖位置において前記三方枠の前記第２の端部の中、上又は近くで、前記第２の閉鎖端部から延伸可能で、前記本体に収容されるように動作するロックボルトと、
を有し、
前記ドアは、前記第１の閉鎖端部に沿って延びている細長部材を有し、これにより、前記ドアは前記細長部材と共に回転し、
前記細長部材は、それぞれが前記本体に個別に固定されている離間したブラケットの間に保持され、回転可能に取り付けられ、
前記細長部材の長さの中間のセクションで、前記ドアは、前記ドアの内面に固定されて取り付けられ、その長さの中間のセクションにおいて、前記細長部材の屈曲を防ぐように構成されている補強部材をさらに有する、セキュリティドア取付け装置。
【請求項２】
前記補強部材は、前記セクションを物理的に捕捉して横変位に対して抵抗するガイドを有する、請求項１に記載のセキュリティドア取付け装置。
【請求項３】
前記ドアは、少なくとも１つのヒンジ装置に取り付けられて支持され、前記ヒンジ装置は前記細長部材を有する、請求項１に記載のセキュリティドア取付け装置。
【請求項４】
前記補強部材は、前記細長部材から延び、前記ドアの内面に直接的又は間接的に取り付けられているブレースアームの形態を有する、請求項１乃至３のうちのいずれか１項に記載のセキュリティドア取付け装置。
【請求項５】
前記ブレースアームは、前記ドアの内面に固定して取り付けられたブラケットの一部を形成し、前記ガイドは前記細長部材の前記セクションをその長さの中間で覆う、請求項４に記載のセキュリティドア取付け装置。
【請求項６】
前記ブレースアームは、前記ブレースアームがブレース部材に向かって又はブレース部材から離れて移動するときに前記ドアをロック又は解放するように移動するように構成されているドア解放機構に接続されている、請求項４又は５に記載のセキュリティドア取付け装置。
【請求項７】
前記ブレースアームは、前記ドア解放機構が移動するときに移動し、他の場合にはロック位置において、前記細長部材の屈曲に抵抗するように前記細長部材に移動可能に取り付けられていることによって、前記ブレースアームの移動は前記ドア解放機構の移動に対応する、請求項６に記載のセキュリティドア取付け装置。
【請求項８】
前記ドア解放機構は、前記ドアに対して回転するように構成され、前記ブレースアームは、前記ドア解放機構に関節式に接続されている、請求項６又は７に記載のセキュリティドア取付け装置。
【請求項９】
前記ブレースアームは、前記ドア解放機構から前記ブレースアームの外側先端部に延びている実質的に直線状の梁を備える、請求項６乃至８のうちのいずれか１項に記載のセキュリティドア取付け装置。
【請求項１０】
前記梁は、それらのそれぞれの長さの中間で、前記細長部材とのヒンジ接続部を有する、請求項９に記載のセキュリティドア取付け装置。
【請求項１１】
前記ヒンジ接続部は、前記細長部材から延びている横方向アームを有する、請求項１０に記載のセキュリティドア取付け装置。
【請求項１２】
前記横方向アームは前記細長部材と共に回転し、前記ヒンジ接続部は、アイレット又はソケットを通って又はその中に延びているピンを有する、請求項１１に記載のセキュリティドア取付け装置。
【請求項１３】
前記コンテナは、保管庫であり、前記ブレース部材は前記保管庫の側壁である、請求項６乃至１２のうちのいずれか１項に記載のセキュリティドア取付け装置。
【請求項１４】
前記ヒンジ装置は、少なくとも２つのヒンジ軸、すなわち、第１の軸及び第２の軸を含み、前記第２の軸は、前記第１の軸に平行で第２の軸から離間している、請求項３乃至１３のうちのいずれか１項に記載のセキュリティドア取付け装置。
【請求項１５】
前記細長部材は、前記細長部材の長さに沿って配置され、対応する１対の第１及び第２の短いアームに回転可能に取り付けられている第１及び第２のセクションを有する、請求項１４に記載のセキュリティドア取付け装置。
【請求項１６】
前記第１及び第２のセクションは上部及び下部のセクションであり、前記第１及び第２の短いアームは、前記コンテナの上部及び下部の部分に回転可能に取り付けられている、請求項１５に記載のセキュリティドア取付け装置。
【請求項１７】
前記ドア解放機構は、前記ドアの内面に取り付けられているか、前記ドアの内部の空洞に収容されるロックアセンブリを有し、前記ロックアセンブリは、前記ロックボルトに動作可能に接続されている回転機構を含み、前記ロックボルトは、前記回転機構によって作動するように構成されている細長いシャフトを有する、請求項６乃至１６のうちのいずれか１項に記載のセキュリティドア取付け装置。
【請求項１８】
前記ロックボルトは、直線経路に沿って往復して平行移動するように構成され、横方向の移動に抗して捕捉されているが前後にスライドすることができ、前記回転機構は、一端が回転可能なディスクの周辺に取り付けられている関節式アームを有する、請求項１７に記載のセキュリティドア取付け装置。
【請求項１９】
前記関節式アームの他方の遠端は前記ロックボルトに取り付けられ、前記ディスクが回転すると、前記関節式アームを往復動可能に後退させることにより、前記ロックボルト及び前記ドアを解放位置にし、又は、前記関節式アームを伸長させることにより、前記ロックボルト及びドアを閉鎖位置にするように構成されている、請求項１８に記載のセキュリティドア取付け装置。
【請求項２０】
前記ドアは、前記ロックボルトの往復移動方向に対して横切る平面の中に揃えられ、前記ドアの内面に取り付けられているガード部材を含み、前記コンテナは、前記ドアが閉鎖されたとき、前記第２の端部付近の前記三方枠に隣接して延び、前記閉鎖位置で前記ガード部材をスロットに入れ子にするように構成されている細長いスロットを画定するバリアパネルをさらに有し、前記ガード部材及び前記バリアパネルが前記三方枠を横切って完全には延びていないが、ロックの領域に配置することができるように構成されている、請求項１８に記載のセキュリティドア取付け装置。
【発明の詳細な説明】
【技術分野】
【０００１】
本発明は、セキュリティドア取付け装置に関する。より具体的には、本発明は、セキュリティコンテナへの不正侵入を防ぐためのセキュリティドア取付け装置に関する。
【背景技術】
【０００２】
先行提案又は先行製品についての以下の参照及び説明は、本技術分野における共通の一般知識の言明するものでも自認するものでもなく、かつそのように解釈すべきではない。特に、以下の先行技術の考察は、当業者にとって公知又は周知であることに関係するものではなく、本発明の進歩性の理解を助けるものであって、本発明に関連する従来技術の提案の特定はその一部にすぎない。
【０００３】
セキュリティドアのヒンジは、そのヒンジが、上端及び下端のそれぞれにおいて、セキュリティコンテナの本体、例えば、そのコンテナ本体の側壁、ドア開口部を画定するフレーム、すなわち、ドア開口部の三方枠に取り付けられている細長いロッドを備えると説明されている。
【０００４】
従って、そのロッドは、その長さの中間において支持されておらず、相当な幅と強度とを有して構成されていない限り、その中間セクションで様々な程度の屈曲を受けることにある。十分な貫入と梃子の作用により、梃子を使用して、ドアの三方枠と端部との間をこじ開ける又はくさびで引き裂くことが可能である。細長いロッドは特に脆弱であるという点で、これによって屈曲及び／又は反りを発生させることを可能にするため、構造が弱化して不正な侵入を許すこととなる。
【発明の概要】
【発明が解決しようとする課題】
【０００５】
本発明の目的は、上述の先行技術の不利な点を改良すること又は少なくともそれに対する有用な代替を提供することである。
【０００６】
１つ以上の態様に係る本発明は、独立請求項に明記されている。本発明のいくつかの任意選択の特徴及び／又は好適な特徴は従属請求項に明記されている。
【０００７】
従って、本発明の一態様を以下に説明する。
コンテナのドアのセキュリティ保護用のセキュリティドア取付け装置であって、前記コンテナは、
前記コンテナの本体の閉鎖スペースを画定する三方枠と、
前記三方枠の第１の端部の上又は近くで前記本体にヒンジ式に取り付けられた第１の閉鎖端部と、前記三方枠の第２の端部に当接する第２の閉鎖端部とを有するドアと、
前記ドアの閉鎖位置において前記三方枠の前記第２の端部の中、上又は近くで、前記第２の閉鎖端部から延伸可能で、前記本体に収容されるように動作するロックボルトと、
を有し、
前記ドアは、前記第１の閉鎖端部に沿って延びている細長部材を有し、これにより、前記ドアは前記細長部材と共に回転し、
前記細長部材は、それぞれが前記本体に個別に固定されている離間したブラケットの間に保持され、回転可能に取り付けられ、
前記細長部材の長さの中間のセクションで、前記ドアは、前記ドアの内面に固定されて取り付けられ、その長さの中間のセクションにおいて、前記細長部材の屈曲を防ぐように構成されている補強部材をさらに有する。
【０００８】
補強部材
補強部材は、チャネル、スリーブ、アイレットの形態のガイド、又はその中に細長部材の固定された長さを物理的に捕捉するガイドを含んでもよい。ガイドは、細長部材を実質的に取り囲んでもよい。ガイドは、閉鎖部材に対して細長部材の横変位を防止してもよい。ガイドは、閉鎖部材の内面に固定して取り付けられているスリーブであってもよい。
【０００９】
補強部材は、細長部材から延び、ドアの内面に直接的又は間接的に取り付けられているブレースアームの形態を有することが好ましい。ブレースアームは、内面に固定されたブラケットの一部を形成し、ガイドは、細長部材のセクションをその長さの中間で覆ってもよい。
【００１０】
セキュリティドアは、ブレースアームを好適にさらに有する。ブレースアームは、その長さの中間で細長部材に取り付けられてもよい。ブレースアームは、ドア解放機構に接続されてもよい。ドア解放機構が移動してドアをロック又は解放すると、ブレースアームは、ブレース部材に向かって又はブレース部材から離れるように移動してもよい。
【００１１】
ブレースアームは、移動可能に細長部材に取り付けられてもよく、これにより、その取り付けにより、ドア解放機構の移動に対応してブレースアームが細長部材に対して移動することが可能になる。ブレースアームは、ドア解放機構が移動したときのみ移動してもよく、他の場合にはロック位置において細長部材の屈曲を防ぐ。
【００１２】
ドア解放機構は、ドアに対して回転するように構成されてもよい。ブレースアームは、ドア解放機構に関節式に接続されてもよい。ブレースアームは、ドア解放機構からブレースアームの外側先端部に延びている実質的に直線状の梁である梁を備えてもよい。梁は、力ベクトルをブレース部材の方向に変換して、ブレース部材をロック位置で当接するように構成されている場合には、非直線状であってもよい。
【００１３】
外側先端は、梁の残りの部分に対して移動可能であってもよい。外側先端は、梁に対して軸方向に移動可能であってもよい。外側先端は、梁にねじ込み可能に係合することができ、それに対して軸方向に調整可能であるシャフトを備えてもよい。
【００１４】
梁は、それぞれの長さの中間で細長部材とのヒンジ接続部を含んでもよい。ヒンジ接続部は、細長部材から延びている横方向アームを含んでもよい。横方向アームは、細長部材に対して固定されていてもよい。横方向アームは、好ましくは、細長部材と共に回転する。ヒンジ接続部は、アイレット又はソケットを通過する又はそれらの中に延びているピンを含んでもよい。ピンはねじが切ってあってもよく、ナットがアイレット又はソケットを捕捉ように構成されてもよい。
【００１５】
セキュリティ保護されたコンテナ
コンテナは保管庫であってもよい。コンテナは、金属又は金属及び断熱材を含む複合材から作られてもよい。コンテナは、ライフルを含む銃等の武器を厳重に保管するためのものであってもよい。従って、本発明に従って作られるコンテナは、収容する必要がある製品の数量及びその大きさと形状に依存して、大きさと形状が異なってもよい。例えば、長い銃身のライフルを収容するコンテナは、高さ又は長さが９００ｍｍ乃至１５００ｍｍの間であってもよい。コンテナは、１つ以上のピストル又はその他の小さい銃器を収容する形状及び大きさであってもよい。コンテナは、閉鎖部をコンテナの上面、又は側端に備え、実質的に水平に置かれるように構成されてもよい。コンテナは箱型の形状を有してもよい。コンテナは、長方形の箱型の形状が好ましい。
【００１６】
コンテナは、ベース、壁及び／又は閉鎖部が相当の質量を有してもよい。閉鎖部は、鉄鋼から作られ、頑丈な箱として溶接されることが好ましい。コンテナは、非常に頑強な構造の、不正な侵入や取り出しを防ぐ保管庫であることが好ましい。
【００１７】
コンテナの本体は、厚い鋼板から作られ、溶接されてコンテナの内部に対応する箱の空洞を画定する３つ以上の壁と天板とベースとを備えてもよい。コンテナは、三方枠に対応する単一の開口部を有することが好ましい。開口部は、その正面に対応するコンテナの側にあることが好ましい。
【００１８】
ブレース部材は、パネルを含んでもよい。ブレース部材は、本体の側壁又はフレーム部材の一部を形成してもよい。
【００１９】
セキュリティ閉鎖部材
閉鎖部材は、不正な侵入に対して開口部をしっかりと密閉するよう構成されている。閉鎖部材は、ブレースレバーによって引き起こされる恐れがある反り又は変形に耐え、剛性を有しかつ堅牢な構造を有するドアであることが好ましい。閉鎖部材は、鋼鉄板及び／又は断熱材の１つ以上の層から作られる。閉鎖部材は、「揺動しかつスライドする」開閉動作を有すると説明することができる。開放するために、閉鎖部材は、最初に、実質的にドアの三方枠又はフレームの面に対応する面の中を、第１のエッジから離れたドアの三方枠又はフレーム内の捕捉位置から解放位置までスライドする。解放位置において、閉鎖部材は、自由に外側に揺動してコンテナを開放することができる。
【００２０】
ヒンジ装置
閉鎖部材は、少なくとも１つのヒンジ装置に取り付けられて支持されてもよい。ヒンジ装置は、有利には細長部材を有する。ヒンジ装置は、閉鎖部材に対して固定されている第１の軸を中心として第１の端部で閉鎖部材が回転できるように構成されていてもよい。第１の軸は、細長部材の長手方向の軸であってもよい。
【００２１】
好適には、ヒンジ装置は、少なくとも２つのヒンジ軸、すなわち、第１の軸及び第２の軸を有する。第２の軸は、第１の軸と並行で第１の軸から離間していてもよい。細長部材の長さに沿って離間している細長部材の第１及び第２のセクションは、対応する１対の第１及び第２の短いアームに回転可能に取り付けられていてもよい。第１及び第２のセクションは、上部及び下部のセクション、好ましくは、それぞれ、上端及び下端であってもよい。第１及び第２の短いアームは、それぞれ、上側及び下側の部分であってもよい。第１及び第２の短いアームは、順に、壁の上側及び下側の部分に、好適には、コンテナの天井及び床に回転可能に取り付けられていてもよい。
【００２２】
そのような機構の利点は、細長部材がドアに固定して取り付けられているので、細長部材の中間又は中央部分を、横変位に抗してドアの閉鎖位置で支えることができるということである。これにより、細長部材をその中間セクションの屈曲に対して補強することを促進するのみでなく、細長部材がコンテナの壁及び／又は床と天井とに固定して取り付けられている機構と比較して、細長部材をより軽い材料でかつそれほど重い設計とならない構造で作ることも可能とするので、本発明の機構は先行技術に対して経済的利益を提供することができる。
【００２３】
ロックアセンブリ
閉鎖部材は、その内面に取り付けられた、又は閉鎖部材内部の空洞に収容されるロックアッセンブリを有してもよい。
【００２４】
閉鎖部材の第２の端部は、第１の端部と好適に対向している。しかしながら、１つ以上のボルトが提供されてもよい。第１及び第２の端部に対して垂直な第３又は第４の端部に、その近傍に又は第３又は第４の端部に隣接して付加的なロックボルトを設けてもよい。第３又は第４の端部は、それぞれ、閉鎖部の上端及び下端であってもよい。
【００２５】
ロックボルトは、細長いシャフトを含んでもよい。シャフトは、円弧状の経路を通って移動するように湾曲していてもよい。ロックボルトは、回転可能なハンドルによって操作される回転機構によって作動させることができる。シャフトは直線状であってもよい。ボルトは、直線経路に沿って往復移動するよう構成され、横方向の動きに抗して捕捉されるが、前後にスライドすることができる。作動機構は、シャフトに動作可能に接続されている被駆動歯車を含み、歯車と噛み合う対応する歯を有してもよい。回転機構は、一端が回転可能なディスクの外周に取り付けられている関節式アームを含んでもよい。関節式アームの別の遠端は、ロックボルトに取り付けられてもよい。ロックボルトは、実質的に直線経路に沿って移動するように構成されてもよい。ディスクが回転した場合、関節式アームを往復動可能に後退させることによって、ロックボルトと閉鎖部材とを解放位置にし、又は、関節式アームを伸長させることによって、ロックボルトと閉鎖部材とを閉鎖位置にするように構成されていてもよい。
【００２６】
ボルトは、中空シャフトを備えてもよい。ボルトは、補強及び強化のために、長手方向に揃えられた又はらせん状のリブを含んでもよい。ボルトは、中実であり、強い横曲げ力に耐えるように構成されることが好ましい。ボルトは鋼鉄製であることが好ましい。
【００２７】
閉鎖部材はガード部材を含んでもよい。ガード部材は、ボルトの往復移動方向に対して横断する平面の中に好適に揃えられている。ガード部材は、閉鎖部材の内面に好適に溶接されている。ガード部材は、アングルプレートから形成されてもよい。ガード部材は、アングルの一方のアームが閉鎖部材の内面に溶接されているＬ型アングルから形成されてもよい。
【００２８】
ガード部材は、実質的に第２の端部の全長にわたって延びている連続した長さを有するものであってもよい。いずれにしても、ガード部材は、第２の端部と三方枠との間に挿入することによる不正侵入のために使用される梃子又はその他の工具の介在に耐えるために、第２の端部の実質的に全長にわたって好適に防護を提供する。バリアパネルと三方枠との間のスロットを横切って延び、含まれる可能性がある１つ以上の横補強スタッドを収容するために、また、ガード部材がスロットの中に入ることを可能にするために、第２の端部の長さに沿ったガード部材の連続性は、横スタッドのそれぞれを収容するギャップによって中断されてもよい。ガード部材は、第２の端部における三方枠の近くに好適に配置される結果、梃子の作用を可能とするのに十分な程度まで、鋭利な工具を第２の端部と三方枠との間のスペースの中へ容易に挿入することはできない。ガード部材は、例えば約２．５乃至５ｍｍ、好適には約３ｍｍの比較的厚い鋼板から作られてもよい。
【００２９】
コンテナはバリアパネルを含んでもよい。バリアパネルは、閉鎖部材が閉鎖されたとき、第２の端部付近の三方枠に隣接して延びている。三方枠と共に、バリアパネルは、細長いスロットを画定してもよい。スロットは、バリアパネルが本体に取り付けられている三方枠の上又は付近のいずれかの位置からも中断されずに連続していてもよい。バリアパネルの端部は、特別な強度のために、本体の中に形成されているスロットに挿入されてもよい。好適に、バリアパネルの端部は、本体の内面に溶接されている。バリアパネルは、ガード部材と同じように、厚い金属板から作られてもよいが、例えば、厚さが約１ｍｍ乃至２．５ｍｍのより薄い金属板から作られることが好ましい。横強度を増大し横方向の力に対する抵抗力を増大するために、バリアパネルを折りたたみ、長手方向の溝、尾根、又はフランジを形成してもよい。バリアパネルは、本体に取り付けられた壁フランジと、壁フランジとバリアパネルとの間の中間にあって延びているブリッジセクションとを有するように形作られたチャネルセクションの一部を形成する。１つ以上のスタッドも壁とバリアパネルとの間に延び、閉鎖部材に近いバリアパネルの長手方向の端部を構成するチャネルの外側の自由端を補強することができる。
【００３０】
ボルトの往復移動の経路は、バリアパネル及びガード部材と交差するように構成されており、また、閉鎖部材が閉じているとき、第２の端部に面する本体の中に形成された対応するボルト孔に受け入れられる。
【００３１】
従って、閉鎖部材が閉じているとき、ガード部材は不審な不正操作者に対して第１の障害物を与える。バリアパネルは、攻撃を受けた場合にガード部材の剛性を維持するための第２の壁を与える。
【００３２】
ガード部材の入れ子はスロットの中にある。
【００３３】
ガード部材及びバリアパネルは、三方枠を横切って完全には延びることができないが、１つ以上のロックボルトの領域に配置することができるため、閉鎖部材のかなりの割合がロックアッセンブリにより防護される。しかし、侵入者がロックアッセンブリから離間した閉鎖部材の一部を金梃子でこじ開ける可能性があることは認められるが、それでも、空洞及びコンテナの内容物に依然としてアクセスすることはできない。
【００３４】
横方向の力に対して細長部材の長さの中間を補強することによって、閉鎖部材のヒンジ及び第１の端部に焦点を合わせた不正操作に対する強い抑止力が得られる。ロックアッセンブリは、閉鎖部材の第２の端部に焦点を合わせた不正操作に対する抑止力をさらに提供する。
【図面の簡単な説明】
【００３５】
本発明は、以下の好適な実施形態の非限定的説明によってより良く理解することができる。
【図１ａ】本発明の第１の実施形態に係る、ガイド部材及びクランクアッセンブリの一部並びに閉鎖位置にあるセキュリティドアの背面内部図である。
【図１ｂ】第１の実施形態のガイド部材及びクランクアッセンブリの一部の背面内部図である。
【図１ｃ】第１の実施形態のガイド部材及びクランクアッセンブリの背面内部図である。
【図１ｄ】第１の実施形態のガイド部材及びクランクアッセンブリの一部の背面概略図である。
【図１ｅ】第１の実施形態のガイド部材及びクランクアッセンブリの背面内部図である。
【図１ｆ】第１の実施形態のガイド部材の止め具端部の背面内部図である。
【図２ａ】ガイド部材及びクランクアッセンブリの関連動作を段階的に示す、第１の実施形態に係るガイド部材及びクランクアッセンブリの背面内部図である。
【図２ｂ】ガイド部材及びクランクアッセンブリの関連動作を段階的に示す、第１の実施形態に係るガイド部材及びクランクアッセンブリの背面内部図である。
【図２ｃ】ガイド部材及びクランクアッセンブリの関連動作を段階的に示す、第１の実施形態に係るガイド部材及びクランクアッセンブリの背面内部図である。
【図２ｄ】ガイド部材及びクランクアッセンブリの関連動作を段階的に示す、第１の実施形態に係るガイド部材及びクランクアッセンブリの背面内部図である。
【図２ｅ】ガイド部材及びクランクアッセンブリの関連動作を段階的に示す、第１の実施形態に係るガイド部材及びクランクアッセンブリの背面内部図である。
【図２ｆ】ガイド部材及びクランクアッセンブリの関連動作を段階的に示す、第１の実施形態に係るガイド部材及びクランクアッセンブリの背面内部図である。
【図２ｇ】第１の実施形態に係るガイド部材の背面概略図である。
【図２ｈ】第１の実施形態に係るクランクアッセンブリ及び可動ドアレールの概略図である。
【図２ｉ】第１の実施形態に係る上部ヒンジ機構の背面概略図である。
【図２ｊ】第１の実施形態に係る下部ヒンジ機構の背面概略図である。
【図３】本発明の第２の実施形態に係る上部ヒンジ部材の背面概略図である。
【図４ａ】細長部材及びクランクアッセンブリの関連動作を段階的に示す、第３の実施形態に係るガイド部材及びクランクアッセンブリの背面内部図である。
【図４ｂ】細長部材及びクランクアッセンブリの関連動作を段階的に示す、第３の実施形態に係るガイド部材及びクランクアッセンブリの背面内部図である。
【図４ｃ】細長部材及びクランクアッセンブリの関連動作を段階的に示す、第３の実施形態に係るガイド部材及びクランクアッセンブリの背面内部図である。
【発明を実施するための形態】
【００３６】
添付図面を詳細に参照して本発明の好適な特徴を説明する。しかしながら、図面を参照して例示、説明する特徴は、本明細書に添付した特許請求の範囲に記載されている場合を除いて、本発明の範囲を限定するものとして解釈されてはならないことを理解されたい。
【００３７】
図面を参照すると、コンテナ１０のドア４０をセキュリティ保護するためのセキュリティドア取付け装置６０が示されている。コンテナ１０は、三方枠２７と、ドア４０と、ロックボルト４６とを有する。コンテナ１０は、コンテナ１０の本体２０の中の閉鎖スペース２１を画定する。ドア４０は、三方枠２７の第１のヒンジ付き端部２８ａの上又は近傍に、本体２０にヒンジ式に取り付けられているヒンジ付き又は第１の閉鎖端部４４と、三方枠２７の第２のボルト収容端部２８ｂに当接する第２の閉鎖端部４１とを有する。ロックボルト４６は、第２の閉鎖端部４１から延伸可能又は移動可能で、ドア４０の閉鎖位置において三方枠２７の第２の端部２８ｂの中、上又は近傍で、本体２０に収容されるように動作する。ドア４０は、第１の閉鎖端部４４に沿って延びている細長部材５０を含み、これにより、ドア４０は細長部材５０と共に回転する。細長部材５０は、離間したブラケット５４ａ、ｂの間に保持され、に回転可能に取り付けられており、各ブラケット５４ａ、ｂは、本体２０に別個に固定されている。細長部材５０の長さの中間で、ドア４０は、ドア４０の内面４２に固定して取り付けられ、細長部材５０がその長さの中間で屈曲することを防ぐように構成されている補強部材５１をさらに有する。
【００３８】
図１ａ乃至図２ｊを特に参照すると、銃の保管庫１０がコンテナ本体２０を有する第１の実施形態が示されている（リヤパネルの内側から、背面内部の視点から、コンテナ２０の前方にあるドア４０の後面を前方に見た図で、ドアの内部構成部品及び特徴を示す）。本体２０及びドア４０は内部コンテナスペース又は空洞２１を画定する。
【００３９】
保管庫１０は、本体２０用の実質的に長方形のブロックを含み、全部が空洞２１を画定する、ベース２２と、後壁（方向２３）と、１対の側壁２４と、上端２５とを有し、並びにドアの三方枠２７により画定される開口部（方向２６）とを有する。
【００４０】
ヒンジ付きドア４０は、クランクアッセンブリ６２を有するロックアッセンブリ６０を有する。クランクアッセンブリ６２は、ドア４０のメインパネルと実質的に平行な平面であるディスクプレートを備えるセントラルクランク６３を有する。クランク６３は、ドア４０の前面に設置されているハンドルによって動作可能である。ハンドル及びセントラルクランクは、共通の軸線Ａを中心にして互いに同軸で回転可能である。
【００４１】
１対の関節式アーム６４がクランク６２上に対向する関係で取り付けられている。図１ａ乃至図２ａに示すロックアッセンブリ６０の閉鎖位置において、アーム６４は実質的に直線的な関係で揃えられている。アーム６４の第１のアーム６４ａは、アイボルト６５の形態を有するブレースアームで終わる。アイボルト６５は、第１のアーム６４ａに対して固定されており第１のアーム６４ａと実質的に直線的な関係又は実質的に同軸の関係で延びている。図１ｆに示すように、アイボルト６５は、第１のアーム６４ａの長さの中間で開口部又はアイレット６５ａを有する。第１のアーム６４ａに取り付けられているアイボルト６５の端部は、１対のねじ付きナットを用いて取り付けられ、第１のアーム６４ａの横方向に延びて開口しているフランジ６４ｃを固定しているので、第１のアーム６４ａ及びアイボルト６５は、一体となって移動するように固定されている。
【００４２】
ピン５２が上方に延びている径方向に離間したシリンダ５１の形態の横方向に延びているガイド部材５１は、細長部材５０の長さの中間でシャフトのセクション５０ａに固定されている。ピン５２は、ねじ付きのボルトの形態であってもよく、シリンダ５１を通って延びていてもよい。代わりに、ピン５２とシリンダ５１とは、一体で形成されて１つの部品のガイド部材５１となる。ガイド部材５１は、溶接、又は、そうでなければ、例えば、グラブねじを用いて固定して取り付けられて、シャフト５０に対する回転に抗して取り付け金具又はシリンダを固定してもよい。従って、ガイド部材５１は、固定されてシャフト５０と共に回転する。ガイド部材５１は、中間のシャフトのセクション５０ａの近くに固定して取り付けられてもよい。
【００４３】
細長部材５０は、その長さの中間で、内面４２に溶接されている筒状チューブであるヒンジジャーナル５３によってドア４０の内面４２に取り付けられているため、軸Ｘは、ドア４０に対して固定されている。さらに、垂直に離間した上部及び下部ブラケット５４ａ、ｂ（図１ｅ、２ｉ、及び２ｊに示す）は、ヒンジカバー５８に対して間隔及び取り付け場所を提供している（第２の実施形態についての説明を参照のこと）。
【００４４】
ブレースアーム６５のアイレット６５ａは、シャフトのセクション５０ａと共に回転し、円弧Ｃ（図２ｃ参照）を通って移動する。円弧Ｃは、シャフト５０と同軸である回転軸Ｘ１を有する。ブレースアーム６４ａは、シャフト５０の軸Ｘから径方向に離間しており、シャフト５０が時計方向及び反時計方向に回転したとき円弧Ｃを通って往復移動するように構成されている。ディスクプレート６３が方向Ｄに回転すると、ブレースアーム６５は、方向Ｔと反対の方向に揺動又は傾斜する。
【００４５】
同様に、クランクは、ハンドルと共に、時計方向及び反時計方向に往復回転する。ロック機構６２のハンドル及びクランク６３は、１つ以上の後退可能な電気機械式ロックの後退によって図１ｂに示すロック及び閉鎖位置から解放される。電気機械式ロックは１つ以上のディテントを有する。図１ａ及び図１ｂに示す電気機械式ロックは、電子アクチュエータによって制御されるディテント６６ａ、ｂを有する。図に示す実施形態において、アクチュエータはソレノイドである。アクチュエータは、単に機械式レバーとロック機構を含んでもよい。アクチュエータはロック本体の内部にある小さな回転モータを用いてモータ駆動されてもよい。
【００４６】
ディテント６６ａ、ｂの電子的作動、すなわち後退は、組み合わせ式ロック機構によって制御されてもよい。好適には、ディテント６６ａ、ｂの伸張又は後退は、ドア４０の前面から操作可能な標準キー又はキーパッド制御装置により制御される。制御装置は、作動時、電線又はケーブル６７を介して、作動信号、すなわち後退信号をディテント６６ａ、ｂを制御する電子モータ又はスイッチに送信する。電気機械式ディテント６６ａ、ｂは、本発明の代替実施形態では無線制御されてもよい。
【００４７】
クランク６３は、図１ａ乃至図２ａに示すロック位置においてディテント６６ａ、ｂに係合又は当接するように構成された対応するショルダ６８を有する。ショルダ６８は、ディテント６６ａ、ｂが後退しない限り、ディテント６６ａ、ｂに対して方向Ｄに回転することができない。
【００４８】
ロックアッセンブリ６０の解放位置において、クランク６３の（図２ｂ乃至２ｄの反時計方向Ｄの）回転の程度は、ドア４０のパネルの背面に固定されている止め部材６９によって制限される。図２ｄに示す解放位置から、ハンドル及びクランク６３を、図２ｅに示すように、方向Ｒに可逆的に回転させて、ロック機構６０をその閉鎖位置に戻してもよい。
【００４９】
第２のアーム６４ｂの遠端６４ｄは、垂直方向のロックピンレール４５にボルトによって固定され、第２のアーム６４ｂがレール４５に対して水平な軸の周りに小さな円弧を通って回転するように確実に構成することによって軽微な関節動作が可能となる。
【００５０】
閉鎖状態において、クランクアセンブリ６０は、ブレースアーム６５と、第１及び第２のアーム６４ａ、ｂとを全て直線上に含み、ブレースアッセンブリ６５ｂを形成する。ブレースアッセンブリ６５ｂの構成部品は、直線状に揃えられ、ブレースアッセンブリ６５ｂを通して同軸上に印加される圧縮力に対する強い抵抗力を提供する。
【００５１】
閉鎖位置において、アーム６４ａ、ｂは、例えば、それらのそれぞれの遠端６４ｄ、６５ｄが最も広い範囲にある水平配向にある。この位置において、ブレースアームの端部６５ｄは、側壁２４ｂに隣接、又は当接している。また、関節式に固定され、レール４５に固定された遠端６４ｄは、開口部２９を通って延びてている、レール４５に取り付けられているロックボルト４６と共に完全に延びてている。従って、ブレースアセンブリ６５ｂのそれぞれの遠端６５ｄ、６４ｄは、閉鎖位置において、軸線Ａからそれらの最大範囲まで半径方向に変位又は離間している。
【００５２】
ブレースアセンブリは、少なくとも４つのヒンジ又は関節式ジョイント５１−５２、６４ｅ、６４ｆ、６４ｄを有する。ブレースアームのアイレット６５ａは、ナット又はクランプによってピン又はボルト５２に固定、又は捕捉され、ガイド部材５１及びピン５２の組み合わせに緩く取り付けられている。従って、ブレースアーム６５は、ボルト又はピン５２を横切って位置合わせされた実質的に水平な軸の周りに揺動するように構成され、これにより、４つの関節式ジョイントのうちの第１の関節式ジョイントを形成する。中央の１対の関節式ジョイント６４ｅ、ｆはクランクディスク６３の周辺部に位置している。関節式ジョイント６４ｅ、ｆは、軸線Ａから等間隔であるか又はそうでなければ半径方向に離間していてもよい。閉鎖位置において、中央の１対のジョイントは、実質的に水平線に沿って整列されてもよい。関節式ジョイント６４ｄは、ドア４０の第２の端部４１で第２のアームをレール４５に接続している。関節式ジョイント５１−５２、６４ｅ、６４ｆ、６４ｄは、それぞれ、それらのそれぞれの構成部品、ブレースアーム６５、及び第１及び第２のアーム６４ａ、６４ｂの回転を可能にし、軸線Ａに平行な水平軸を中心として回転させる。
【００５３】
クランクが軸線Ａを中心として方向Ｄに回転すると、クランク６３のディスクに回転可能に取り付けられている第１及び第２のアーム６４ｂ、ｃの内端６４ｅ、ｆは、それぞれ、各側壁２４ｂ、ａから離れるように回転し、レール４５及びブレースアームの端部６５ｄを軸線Ａに向けて引き込む。その結果、これらは軸線Ａに向かって後退する。ブレースアーム６５が軸線Ａに向かって後退すると、最初に、ドア４０が実質的にドア４０のほぼ平面内で側壁２４ｂに向けて移動することを可能にする。次に、レール４５に取り付けられているロックボルト４６が軸線Ａに向かって後退するので、第２の端部４１は、自由に揺動して三方枠２７から離れる。ドア４０は、ドアヒンジの細長部材５０を中心として回転し、ドア４０及び保管庫１０の解放位置を実現することができる。
【００５４】
ロックアセンブリ６０は、ドア４０の内面４２に移動可能に接続されている水平方向のレール７４をさらに有する。水平方向のレール７４は、１対の水平方向に離間し、同軸に揃えられたスロット７５を含み、スロット７５は、それぞれのスロット７５の中の対応する１対の捕捉されたボルト又はピン７５ａ、ｂを取り囲む。ピン７５ａ、ｂは、内面４２に固定され、後方及び水平に延びている。
【００５５】
水平方向のレール７４は、１つ以上の取付け点７６によって固定されている垂直レール４５と共に移動する。取付け点は、水平方向のレール７４から後方に延び、垂直レール４５及び水平方向のレール７４の取り付けに剛性を与えるために垂直レールから延びているブラケット７６ｃに固定されるブラケット７６ｂを含んでもよい。取付け点７６は、溶接を用いて固定してもよいし、又は調整可能とするためにボルトを用いて固定してもよい。
【００５６】
レール４５、７４は、共に移動するように構成され、水平方向のレール７５は、ピン７５ａ、ｂに沿って乗っているスロット７５によって規定される直線状の水平方向の経路Ｐに沿って往復動する。このようにして、ドアは、側壁２４ｂに向かってコンテナ本体２０に対して横方向にスライドするように構成され、第２の端部４１でボルト４６を通り越し、細長部材５０の周りにドア閉鎖部材４０が回転する準備ができる。
【００５７】
ディスクプレート６３が軸線Ａを中心として方向Ｄに回転すると、第１及び第２のアームは実質的に反対方向のＶ１、２に移動し、一方、水平方向のレール７４は、ピン７５ａ、ｂに対して方向Ｐと反対の方向Ｐに移動する。
【００５８】
図２ｉは、細長部材５０の上端が上部ヒンジ５５を介してコンテナ２０の上端２５に取り付けられていることを示す。ヒンジ５５は、細長部材の軸Ｘから離間したピン５５ａの周りに回転可能であり、ドア４０がピン５５ａの周りに回転し、天井又は上端２５に対して横方向に効果的に移動することを可能にする。
【００５９】
図２ｊに示すように、細長部材５０の下端は、下部ヒンジ５５ｂ及び下部ヒンジピン５６ｂで回転するように固定されている。下部ヒンジ５５ｂは、上部ヒンジ５５ａの鏡像であることが好ましい。下部ヒンジ５５ｂは、溶接によりコンテナのベース２２に固定されている下部ヒンジベース５７ｂを有する。ヒンジ５５ａ、ｂ及びこれらのそれぞれのヒンジピン５５ａ、ｂは、同軸に揃えられているので、細長部材５０及び、従って、ドア４０はヒンジ５５ａ、ｂを中心として方向Ｃに回転する。
【００６０】
コンテナ本体２０は、三方枠２７のボルト収容側２８に形成された多くの開口部２９を有し、ドア４０の第２の端部４１から延伸可能な対応する数のドアボルト４６を収容する
【００６１】
コンテナ本体２０は、その長さの上部、中央、及び底部が本体２０に溶接された第１の折り目７１（図示せず）を備える圧延チャンネルセクション７０を有する。チャネル７０は、第１の折り目７１及び／又は三方枠２７から小さい距離、例えば、３ｍｍ乃至１０ｍｍ離間したバリアパネル７２を構成する第２の折り目を有し、これにより、狭い縦方向のスロット７３（図示せず）を画定する。
【００６２】
スロット７３は、ガード部材として作用する垂直方向のロックピンレール４５を収容するように構成されている。レール４５は、山形鋼の一方の折り目だけ第２の端部４１に隣接するドア４０の内面に溶接された複数の長さのＬ形山形鋼から形成される。
【００６３】
ロック機構６０は、ボルト４６の並進機構として作用する。ドア４０は、ドアロックアセンブリ６０をそれぞれ上部又は下部の攻撃から保護するための上部及び下部ガードフランジ４３ａをさらに有する。
【００６４】
ドア４０が閉鎖されているとき、ドアボルト４６は、垂直方向のレールのそれぞれの長さに沿った適切な場所でボルト孔開口部２９の位置合わせに入る。従って、ロック機構６０の作動時に、ドアボルト４６は、開口部２９と位置合わせされ、直線経路に沿って最初の位置に移動する。回転可能なロック機構６０は、キーを必要とする従来のロック又は組み合わせロック等の様々な手段のいずれかによってロックすることができる。
【００６５】
閉鎖されたドア４０の第２の閉鎖端部と三方枠２７の第２の端部４１とが交わる線に隣接する垂直方向のレール４５の位置は、例えば、その線をめがけた梃子作用器具の挿入による不正な操作、損傷又は侵入をきわめて困難にする。本体２０及びドア４０は、変形に対する抵抗力がある厚板の金属シートで作られているだけでなく、第２の端部４１は、閉鎖位置にある垂直方向のレール４５によって補強されている。
【００６６】
図３において、第１の実施形態と同様の参照を参照して同様な特徴が説明される第２の実施形態を示す。第２の実施形態は、ブラケット５４ａ、ｂに取り付けられているヒンジカバー５８を有する。
【００６７】
図４ａ乃至４ｃにおいて、ロックアセンブリがブレースアームを含まない第３の実施形態を示す。むしろ、第１のアーム６４ａは、細長部材５０に取り付けられた中間ジャーナル取付けブラケット６５ａｉで終わる。ジャーナルブラケット５３ｂは、アイレット６５ａと同様に動作する。
【００６８】
第１のアーム６４ａの内端６４ｅと内面のドア取付け点６９ｉの間に、方向Ｄの回転に抵抗し、ロック機構を閉鎖位置に押し戻すことを促進する軸方向伸長コイルばね７８がある。ばね７８は、関節点６４ｅを上方に引っ張り細長部材５０から離すことにより機能することができる。
【００６９】
明細書及び請求項で使用する垂直、水平、上端、底部、上部及び下部等の配向用語は、関係を示すものとして解釈すべきであり、構成要素、製品、物品、機器、装置又は器具は、通常、特定の配向で、通常は上端２５を最上位置として考慮される前提に基づいている。特に、細長部材５０は、任意の幾何学的配向であってもよいが、最も一般的には軸Ｘは垂直である。これに対応して、垂直方向のレール４５は、それが垂直、水平又はそれ以外であろうと、通常、軸Ｘに平行して位置合わせされ、また、水平方向のレール７４及び／又はスロット７５は、通常、軸Ｘに対して垂直に位置合わせされている。
【００７０】
明細書及び請求項全体を通して、「備える（ｃｏｍｐｒｉｓｅ）」及びその派生語は、反対のことが明確に述べられていない限り、又は文脈が別の場合を必要としない限り、排他的な意味ではなく包含的な意味を有することを意図している。すなわち、「備える（ｃｏｍｐｒｉｓｅ）」及びその派生語は、反対のことが明確に述べられていない限り、又は文脈が別の場合を必要としない限り、それが直接参照する列挙された構成部品、工程又は機能だけでなく、具体的に列挙されていない他の構成部品、工程又は機能も含むことを暗に示すと考えられる。
【００７１】
本明細書において、「機器（ａｐｐａｒａｔｕｓ）」、「手段（ｍｅａｎｓ）」、「装置（ｄｅｖｉｃｅ）」、及び「部材（ｍｅｍｂｅｒ）」等の用語は、単一のアイテム又は複数のアイテムを指してもよく、また、１つ以上の部品を有する１つ以上のアイテム又は構成部品によって成し遂げられる１連の性質、機能、又は特性を指すことを意図する用語である。反対のことが明確に述べられていない限り、又は文脈が別の場合を必要としない限り、「機器（ａｐｐａｒａｔｕｓ）」、「手段（ｍｅａｎｓ）」、「装置（ｄｅｖｉｃｅ）」、及び「部材（ｍｅｍｂｅｒ）」又は同様な用語が単一のオブジェクトであるとして説明されている場合、複数の構成部品を有する機能的に同等なオブジェクトは、当該用語の範囲内にあるとみなされ、また、同様にして、「機器（ａｐｐａｒａｔｕｓ）」、「手段（ｍｅａｎｓ）」、「装置（ｄｅｖｉｃｅ）」、及び「部材（ｍｅｍｂｅｒ）」が複数の構成部品を有するとして説明されている場合、機能的には同等であるが単一のオブジェクトも当該用語の範囲内にあるとみなされると考えられる。
【００７２】
本発明の主旨と範囲から逸脱することなく、本明細書で説明された本発明の方法に対して多くの修正及び変更を行うことができることを当業者は理解するであろう。
【符号の説明】
【００７３】
Ａ      ハンドル及びクランクの軸線
５４ａ、ｂ     上部及び下部ブラケット
Ｘ      シャフトの軸
５５ａ、ｂ     上部及び下部ヒンジ
Ｘ１    ガイドの回転軸
５６ａ、ｂ     上部及び下部ヒンジピン
Ｃ      アイレットの回転の円弧
５７ａ、ｂ     ヒンジベース
Ｄ      クランクの反時計方向
５８    ヒンジカバー
Ｔ      ブレースアームの傾斜方向
６０    ロックアッセンブリ
Ｐ      水平方向のレールの移動経路
１０    銃保管庫
６２    クランクアッセンブリ
２０    コンテナ本体
６３    セントラルクランク
２１    空洞
６４    １対の対向アーム
２２    ベース
６４ａ  第１のアーム
２３    後壁
６４ｂ  第２のアーム
２４    側壁
６４ｃ  横フランジ
２４ｂ  ブレース部材／側壁
２５    上端、
６４ｄ  第２のアームの遠端
２６    開口部
６４ｅ、ｆ     内端
２７    ドアの三方枠
６５    ブレースアーム
２８ａ  三方枠の第１のヒンジ付き端部
２８ｂ  三方枠の第２のボルト収容側
６５ａ  ブレースアームのアイレット
２９    開口部
６５ｄ  ブレースアーム端部
３０    ヒンジ機構
６５ｂ  ブレースアッセンブリ
３１    直線状ロッド（細長部材）
６６ａ、ｂ     ディテント
４０    セキュリティドア
６２ａ  ケーブル
４１    ドアの自由端の第２の端部
６８    ショルダ
４２    ドアの内面
６９    止め部材
４３ａ  上部及び下部ガードフランジ
７０    圧延チャンネルセクション
４４ａ  閉鎖部材のヒンジ付き端部の第１の端部
４５    ロックピンレール
７１    チャネルの第１のアーム
４６    ロックボルト
７２    バリアパネル
４７    ガード部材の開口部
７３    狭い縦方向のスロット
４８    回転可能なハンドル機構
７４    水平方向のレール
４９    ドア外部
７５    スロット
５０    細長部材又はシャフト
７５ａ、ｂ     ピン
５０ａ  シャフトのセクション
７６    取付け点
５１    ガイド部材‐細長部材のアイレット
７６ａ、ｂ、ｃ 取付けブラケット
５２    ピン
７７    バリアパネルの開口部
５３ａ、ｂ、ｃ 上部、中間及び下部筒状ヒンジジャーナル
７８    ばね
【図１ａ】
2021514433.tif 000003
【図１ｂ】
2021514433.tif 000004
【図１ｃ】
2021514433.tif 000005
【図１ｄ】
2021514433.tif 000006
【図１ｅ】
2021514433.tif 000007
【図１ｆ】
2021514433.tif 000008
【図２ａ】
2021514433.tif 000009
【図２ｂ】
2021514433.tif 000010
【図２ｃ】
2021514433.tif 000011
【図２ｄ】
2021514433.tif 000012
【図２ｅ】
2021514433.tif 000013
【図２ｆ】
2021514433.tif 000014
【図２ｇ】
2021514433.tif 000015
【図２ｈ】
2021514433.tif 000016
【図２ｉ】
2021514433.tif 000017
【図２ｊ】
2021514433.tif 000018
【図３】
2021514433.tif 000019
【図４ａ】
2021514433.tif 000020
【図４ｂ】
2021514433.tif 000021
【図４ｃ】
2021514433.tif 000022
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
ドアのセキュリティ保護用のセキュリティドア取付け装置であって、
閉鎖スペースを画定する三方枠と、
前記三方枠の第１の端部の上又は近くでヒンジ式に取り付けられた第１の閉鎖端部と前記三方枠の第２の端部に当接する第２の閉鎖端部とを有するドアと、
前記第２の閉鎖端部から延伸可能で、前記ドアの閉鎖位置において前記三方枠の前記第２の端部の中、上又は近傍に収容されるように動作するロックボルトと、
を有し、
前記ドアは、前記第１の閉鎖端部に沿って延びている細長部材を有し、前記細長部材の軸が前記ドアに対して固定され、ヒンジ装置は、前記細長部材を有し、前記ヒンジ装置は、閉鎖部材を回転できるように構成され、前記ヒンジ装置は、少なくとも２つのヒンジ軸を有し、
前記細長部材は、前記細長部材の長さに沿って配置され、対応する１対の第１及び第２の短いアームに取り付けられている上部の第１及び下部の第２のセクションを有し、
前記第１及び第２の短いアームは、対応する前記セキュリティドア取付け装置の上部及び下部の部分に回転可能に取り付けられ、
前記細長部材の長さの中間の中間セクションで、前記ドアは、前記ドアの内面に固定されて取り付けられ、前記中間セクションにおいて、前記細長部材の屈曲を防ぐように構成されている補強部材をさらに有する、セキュリティドア取付け装置。
【請求項２】
前記ドアはコンテナのドアであり、前記閉鎖スペースは、前記コンテナの本体内であり、前記コンテナは、前記三方枠と、前記ロックボルトと、を有し、前記第１及び第２の短いアームは、前記コンテナの対応する上部及び下部の部分に回転可能に取り付けられる、請求項１に記載のセキュリティドア取付け装置。
【請求項３】
前記補強部材は、前記中間セクションを物理的に捕捉して横変位に対して抵抗するガイドを有する、請求項２に記載のセキュリティドア取付け装置。
【請求項４】
前記補強部材は、前記細長部材から延び、前記ドアの内面に直接的又は間接的に取り付けられているブレースアームの形態を有する、請求項３に記載のセキュリティドア取付け装置。
【請求項５】
前記ブレースアームは、前記ドアの内面に固定して取り付けられたブラケットの一部を形成し、前記ガイドは前記中間セクションを覆う、請求項４に記載のセキュリティドア取付け装置。
【請求項６】
前記ブレースアームは、前記ブレースアームがブレース部材に向かって又はブレース部材から離れて移動するときに前記ドアをロック又は解放するように移動するように構成されているドア解放機構に接続されている、請求項５に記載のセキュリティドア取付け装置。
【請求項７】
前記ブレースアームは、前記ドア解放機構が移動するときに移動し、他の場合にはロック位置において、前記細長部材の屈曲に抵抗するように前記細長部材に移動可能に取り付けられていることによって、前記ブレースアームの移動は前記ドア解放機構の移動に対応する、請求項６に記載のセキュリティドア取付け装置。
【請求項８】
前記ドア解放機構は、前記ドアに対して回転するように構成され、前記ブレースアームは、前記ドア解放機構に関節式に接続されている、請求項７に記載のセキュリティドア取付け装置。
【請求項９】
前記ブレースアームは、前記ドア解放機構から前記ブレースアームの外側先端部に延びている実質的に直線状の梁を備える、請求項８に記載のセキュリティドア取付け装置。
【請求項１０】
前記直線状の梁は、それらのそれぞれの長さの中間で、前記細長部材とのヒンジ接続部を有する、請求項９に記載のセキュリティドア取付け装置。
【請求項１１】
前記ヒンジ接続部は、前記細長部材から延びている横方向アームを有する、請求項１０に記載のセキュリティドア取付け装置。
【請求項１２】
前記横方向アームは前記細長部材と共に回転し、前記ヒンジ接続部は、アイレット又はソケットを通って又はその中に延びているピンを有する、請求項１１に記載のセキュリティドア取付け装置。
【請求項１３】
前記コンテナは、保管庫であり、前記ブレース部材は前記保管庫の側壁である、請求項６に記載のセキュリティドア取付け装置。
【請求項１４】
前記少なくとも２つのヒンジ軸は、第１の軸及び第２の軸を含み、前記第２の軸は、前記第１の軸に平行に離間している、請求項１に記載のセキュリティドア取付け装置。
【請求項１５】
前記ドア解放機構は、前記ドアの内面に取り付けられているか、前記ドアの内部の空洞に収容されるロックアセンブリを有し、前記ロックアセンブリは、前記ロックボルトに動作可能に接続されている回転機構を含み、前記ロックボルトは、前記回転機構によって作動するように構成されている細長いシャフトを有する、請求項６に記載のセキュリティドア取付け装置。
【請求項１６】
前記ロックボルトは、直線経路に沿って往復して平行移動するように構成され、横方向の移動に抗して捕捉されているが前後にスライドすることができ、前記回転機構は、一端が回転可能なディスクの周辺に取り付けられている関節式アームを有する、請求項１５に記載のセキュリティドア取付け装置。
【請求項１７】
前記関節式アームの遠端は前記ロックボルトに取り付けられ、前記ディスクが回転すると、前記関節式アームを往復動可能に後退させることにより、前記ロックボルト及び前記ドアを解放位置にし、又は、前記関節式アームを伸長させることにより、前記ロックボルト及びドアを閉鎖位置にするように構成されている、請求項１６に記載のセキュリティドア取付け装置。
【請求項１８】
前記ドアは、前記ロックボルトの往復移動方向に対して横切る平面の中に揃えられ、前記ドアの内面に取り付けられているガード部材を含み、前記セキュリティドア取付け装置は、前記ドアが閉鎖されたとき、前記第２の端部付近の前記三方枠に隣接して延び、前記閉鎖位置で前記ガード部材をスロットに入れ子にするように構成されている細長いスロットを画定するバリアパネルをさらに有する、請求項１に記載のセキュリティドア取付け装置。
【請求項１９】
前記ガード部材及び前記バリアパネルが前記三方枠を横切って完全には延びていないが、前記ロックボルトの領域に配置される請求項１８に記載のセキュリティドア取付け装置。
【国際調査報告】
2021514433.tif 000023
2021514433.tif 000024
2021514433.tif 000025
2021514433.tif 000026
2021514433.tif 000027
2021514433.tif 000028